(57)【要約】【課題】撮影パラメータの変更による信号値の変化によって、擬似輪郭が動き目立つため印象がよくないという課題があった。【解決手段】少なくとも光学絞り、露光時間変更手段、信号ゲイン変更手段、入力光量減光手段、焦点調節手段、焦点距離調節手段のいずれかと、ディザ処理手段とを備えることを特徴とし、光学絞り、露光時間変更手段、信号ゲイン変更手段、入力光量減光手段、焦点調節手段、焦点距離調節手段のいずれかが変更された際に映像信号の該当フレームにディザ処理を行う。【選択図】図４
2017126912.tif 000002
【特許請求の範囲】
【請求項１】
少なくとも光学絞り、露光時間変更手段、信号ゲイン変更手段、入力光量減光手段、焦点調節手段、焦点距離調節手段のいずれかと、ディザ処理手段とを備えることを特徴とし、
光学絞り、露光時間変更手段、信号ゲイン変更手段、入力光量減光手段、焦点調節手段、焦点距離調節手段のいずれかが変更された際に映像信号の該当フレームにディザ処理を行うことを特徴とする撮像装置および映像システム。
【請求項２】
ガンマ補正手段と、第１のガンマ特性と、第２のガンマ特性とを持ち、第２のガンマ特性で撮影する際にディザ処理特性の変更を行うことを特徴とする請求項１に記載の撮像装置。
【請求項３】
第２のガンマ特性は、ガンマ特性の一部のコントラストを圧縮することをせずに、入力コードに対する出力コードの関係を一定に保ち、低輝度部から高輝度部までのビットの割り振りを固定するガンマ形状を保つことを特徴とする請求項１又は請求項２に記載の撮像装置。
【請求項４】
外部表示機器通信手段を新たに持ち、外部表示機器通信手段によって取得した外部表示機器のピーク輝度に応じて付加するディザ処理の強度を大きくすることを特徴とする請求項１に記載の撮像装置。
【請求項５】
ガンマ特性変更手段を新たに持ち、光学絞り、露光時間変更手段、信号ゲイン変更手段、入力光量減光手段のいずかによる入力ダイナミックレンジの変更に応じて、ディザ処理の強度を大きくすることを特徴とする請求項１に記載の撮像装置。
【請求項６】
第２のガンマ上で第１のガンマに対し傾きが少ない輝度領域にディザ処理を行うことを特徴とする請求項１乃至請求項３の何れか一項に記載の撮像装置。
【発明の詳細な説明】
【技術分野】
【０００１】
本発明は、撮像装置および映像システムに関し、特に動画像に生じる擬似輪郭を補正する画像処理装置、画像処理方法およびプログラムに関する。
【背景技術】
【０００２】
撮像装置および映像システムにおいて、ガンマ補正やビット圧縮などの階調変換、量子化によって擬似輪郭の発生が問題となる。この問題に対して、従来は映像信号の１フレームから擬似輪郭の発生しやすい階調変換の少ないグラデーション部分を検出してディザ処理を行う技術が提案されている（特許文献１、特許文献２参照）。
【先行技術文献】
【特許文献】
【０００３】
【特許文献１】特表２００５−５１６２６０号公報
【特許文献２】特開２００１−８２１６号公報
【発明の概要】
【発明が解決しようとする課題】
【０００４】
しかしながら、従来の擬似輪郭抑制手法には映像信号の中の１フレームの情報から擬似輪郭と思しき箇所を検出して補正を行うため、映像信号が撮像装置の撮像パラメータの変化によって変化していく際の擬似輪郭の動きについて対策が講じられていなかった。
【０００５】
本発明は、上記の問題点を鑑み、撮像装置および映像システムにおいて、撮影時の映像信号値が変化する撮像パラメータが変更された際に撮像された信号フレームに対しディザ処理を行うことで、映像信号値の変化による擬似輪郭の見えを改善することを課題とする。
【課題を解決するための手段】
【０００６】
上記の課題を解決するために、本発明に係る撮像装置は、
少なくとも光学絞り、露光時間変更手段、信号ゲイン変更手段、入力光量減光手段、焦点調節手段、焦点距離調節手段のいずれかと、ディザ処理手段とを備えることを特徴とし、
光学絞り、露光時間変更手段、信号ゲイン変更手段、入力光量減光手段、焦点調節手段、焦点距離調節手段のいずれかが変更された際に映像信号の該当フレームにディザ処理を行うことを特徴とする。
さらに本発明に係る撮像装置の特徴とするところは、
被写体の映像信号を出力する撮像手段、映像信号の信号処理を行う信号処理手段、を有する撮像装置において、ガンマ補正手段と、第１のガンマ特性と、第２のガンマ特性と、ガンマ補正変更手段とを備えることを特徴とし、
第２のガンマ特性で撮影する際にディザ処理特性の変更を行うことを特徴とする。
さらに本発明に係る撮像装置の特徴とするところは、
外部表示機器通信手段を新たに持ち、外部表示機器通信手段によって取得した外部表示機器のピーク輝度に応じて付加するディザ処理の強度を大きくすることを特徴とする。
さらに本発明に係る撮像装置の特徴とするところは、
ガンマ変更手段を新たに持ち、光学絞り、露光時間変更手段、信号ゲイン変更手段、入力光量減光手段、ガンマ特性いずかの変更による入力ダイナミックレンジの変更に応じて、ディザ処理の強度を大きくすることを特徴とする。
さらに本発明に係る撮像装置の特徴とするところは、
第２のガンマ上で第１のガンマに対し傾きが少ない輝度領域にディザ処理を行うことを特徴とする。
【発明の効果】
【０００７】
本発明に係る撮像装置によれば、撮像手段の撮像パラメータの変更による信号値の変化に付随する擬似輪郭の見えを軽減することができる。
【図面の簡単な説明】
【０００８】
【図１】本発明の実施形態におけるデジタルビデオカメラ１００の外観図である。
【図２】本発明の実施形態におけるデジタルビデオカメラ１００の構成を示すブロック図である。
【図３】擬似輪郭の見えが顕著となる被写体の例を示す図である。
【図４】本発明の実施形態１における主な構成を示すブロック図である。
【図５】本発明の実施形態１の処理の流れを表すフローチャートである。
【図６】通常撮影モードにおけるガンマ特性を示すグラフである。
【図７】（ａ）は高輝度優先モードにおけるガンマ特性を示すグラフである。（ｂ）は高輝度優先モードにおけるガンマ特性を示す説明図である。
【図８】通常撮影モードと高輝度優先モードの原点付近のガンマ特性を比較した説明図である。
【図９】表示機器のピーク輝度変更による同一入力信号に対する出力輝度特性の違いを示した説明図である。
【図１０】本発明の実施形態１における主な構成を示すブロック図である。
【図１１】本発明の実施形態２の処理の流れを表すフローチャートである。
【図１２】第１のガンマ特性と第２のガンマ特性の特性比較を表した図である。
【発明を実施するための形態】
【０００９】
以下、本発明を実施するための形態を図面に基づいて説明する。
【００１０】
＜第１の実施形態＞
図１は本発明の撮像装置の第１の実施形態であるデジタルビデオカメラ１００を示す外観図である。
【００１１】
図１において、表示部２８は画像や各種情報を表示する表示部である。録画スイッチ６１は撮影指示を行うための操作部である。モード切替スイッチ６０は各種モードを切り替えるための操作部である。コネクタ１１２は接続ケーブルとデジタルビデオカメラ１００とのコネクタである。操作部７０はユーザーからの各種操作を受け付ける各種ボタン、十字キー等の操作部材より成る操作部である。
【００１２】
７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルビデオカメラ１００との通信が可能となる。
【００１３】
図２は本実施形態のデジタルビデオカメラ１００の内部構成を示すブロック図である。
【００１４】
図２において、撮像レンズ１０３はズームレンズ、フォーカスレンズを含むレンズ群であり、被写体像を結像させる。絞り１０１は光量調整に使用する絞りである。ＮＤ１０４は減光用に使用するＮＤである。撮像部２２は光学像を電気信号に変換するＣＣＤやＣＭＯＳ素子等で構成される撮像素子である。また、撮像部２２には電子シャッターによる蓄積の制御や、アナログゲイン、読み出し速度の変更などの機能も備える。
【００１５】
Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルビデオカメラ１００の、撮像レンズ１０３を含む撮像系を覆うことにより、撮像レンズ１０３、絞り１０１、撮像部２２を含む撮像系の汚れや破損を防止する。
【００１６】
画像処理部２４は、Ａ／Ｄ変換器２３からのデータ、又は、メモリ制御部１５からのデータに対し所定の画素補間、縮小といったリサイズ処理や色変換処理、ガンマ補正、デジタルゲインの付加等の処理を行う。また、撮像した画像データを用いて所定の演算処理が行われ、演算結果をシステム制御部５０に送信する。送信された演算結果に基づいてシステム制御部５０が露出制御、測距制御をホワイトバランス制御等行う。これにより、ＴＴＬ（スルー・ザ・レンズ）方式のＡＦ（オートフォーカス）処理、ＡＥ（自動露出）処理、ＡＷＢ（オートホワイトバランス）処理等が行われる。
【００１７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって撮像されＡ／Ｄ変換器２３によりデジタルデータに変換された画像データや、表示部２８に表示するための画像データを格納する。メモリ３２は、所定時間の動画像および音声を格納するのに十分な記憶容量を備えている。また、メモリ３２は画像表示用のメモリ（ビデオメモリ）を兼ねている。
【００１８】
Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行うことができる。
【００１９】
不揮発性メモリ５６は、電気的に消去・記録可能なメモリであり、例えばＥＥＰＲＯＭが用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２０】
システム制御部５０は、デジタルビデオカメラ１００全体を制御する。前述した不揮発性メモリ５６に記録されたプログラムを実行することで、後述する本実施形態の各処理を実現する。
【００２１】
５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。モード切替スイッチ６０、録画スイッチ６１、操作部７０はシステム制御部５０に各種の動作指示を入力するための操作手段である。
【００２３】
モード切替スイッチ６０は、システム制御部５０の動作モードを、動画記録モード、静止画記録モード、再生モード等のいずれかに切り替える。動画記録モードや静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、動画撮影モードに含まれるこれらのモードのいずれかに直接切り替えられる。あるいは、モード切替スイッチ６０で動画撮影モードに一旦切り換えた後に、動画撮影モードに含まれるこれらのモードのいずれかに、他の操作部材を用いて切り替えるようにしてもよい。
【００２４】
録画スイッチ６１は撮影待機状態と撮影状態を切り替える。システム制御部５０は、録画スイッチ６１により、撮像部２２からの信号読み出しから記録媒体２００への動画データの書き込みまでの一連の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右４方向の十字キーやＳＥＴボタンを用いて直感的に各種設定を行うことができる。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉイオン電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
次に本発明の実施形態の動作について説明する。
【００２９】
図３は擬似輪郭が顕著となるシーンの一例である。具体的に擬似輪郭が顕著となるシーンを元に擬似輪郭改善処理を説明する。このシーンは夜の花火を撮影しているシーンである。擬似輪郭は階調変化が少ないグラデーション領域で輝度の等高線状に発生しやすく、このシーンでは画面右上に発生している。さらに、花火の明るさによって露出制御が働き、画面全体の信号値が変化する。この信号値の変化によって、階調変化の方向に沿って等高線状の擬似輪郭が間隔を変えながら動くことで、本来夜空にあるはずのない擬似輪郭の目立ち方が顕著となる。
【００３０】
続いて擬似輪郭改善処理方法について説明する。
【００３１】
本発明の最も特徴的な部分はシステム制御部５０と画像処理部２４である。この内部処理について詳細に説明する。
【００３２】
画像処理部２４の詳細を表したものが図４である。本実施形態の処理の流れを図５のフローチャートに示す。
【００３３】
図３のシーンを撮影するために、デジタルビデオカメラ１００はＡＦ制御、ＡＥ制御を行う（Ｓ５０１）。ＡＦ制御は撮像レンズ１０３のもつフォーカスレンズを制御することで行う。ＡＥ制御は絞り１０１、ＮＤ１０４、撮像部２２を制御することで行う。また、撮影中にユーザが操作部７０を用いてズーム操作を行う。ズーム操作は操作部７０からシステム制御部５０に入力され、撮像レンズ１０３のもつズームレンズを制御することで実現される。これらの撮像制御を行うための制御手段は、制御対象への制御信号の送信と同時に、画像処理部２４のディザ処理手段４０７に制御対象の状態を変更することを通知する。
【００３４】
被写体からの光はバリア１０２、撮像レンズ１０３、絞り１０１、ＮＤ１０４を通り、撮像部２２にて光電変換され、Ａ／Ｄ変換器２３にてアナログ・デジタル変換されて映像信号となる。映像信号は画像処理部２４に入力されディザ処理手段４０７に入力される。ディザ処理手段４０７は各種制御手段からの制御状態変更通知を受けた際に映像信号にディザ処理を施し、制御状態変更通知を受けていない場合にはディザ処理を実施しない（Ｓ５０２）。映像信号はホワイトバランス補正や輪郭強調、ガンマ補正、ノイズリダクション処理などその他の画像処理を施された上、表示部２８や記録媒体２００へ送られる。
【００３５】
ここで図３の被写体の花火の輝度が変化するとシステム制御部５０はＡＥ制御を行う。また、ユーザ操作によりズーム制御が実施されると、撮影レンズの状態や絞りの状態が変化する。このため、映像信号の信号値は変化する。これら制御と同時にシステム制御部５０は撮像レンズ１０３、絞り１０１、ＮＤ１０４、撮像部２２いずれかの制御状態変更通知をディザ処理手段４０７に送る。この際に撮像された映像信号は、ディザ処理手段４０７に入力され、ディザ処理を施される。このようにこの一連のＡＥ制御が行われている最中はディザ処理手段４０７によって映像信号にディザ処理が施される。
【００３６】
このように、撮像系のパラメータの変化応じて映像信号にディザ処理を実施することにより、擬似輪郭の階調境界がランダムに分散され、視覚的に認識しにくくなる。よって、撮像系のパラメータの変化に応じた映像信号の信号値変化による擬似輪郭が動く現象の視認性が低減でき、擬似輪郭によるよくない印象を改善することができる。
【００３７】
＜第２の実施形態＞
実施形態１では撮像系のパラメータ変化に応じた映像信号へのディザ処理による擬似輪郭の視認性を低減に関する例を示した。
【００３８】
本実施形態においては、通常のニー処理を含むガンマ補正特性で撮影する通常撮影モードと、リニアガンマ特性で撮影する、高輝度優先モードがある場合の階調性の変化に対する擬似輪郭対策の例を説明する。
【００３９】
まず、本発明の実施形態におけるガンマ補正について説明する。
【００４０】
最初に、通常のニー処理を含むガンマ補正特性について、図６を参照しながら説明を行う。図６において、６０７は入力ダイナミックレンジがｘ１に対応するガンマ特性であり、ＩＴＵ−Ｒ  ＢＴ．７０９などで規格化されているガンマ特性である。６０９は入力ダイナミックレンジがｘ２に対応するガンマ特性であり、入力ダイナミックレンジを実用的な範囲に広げた場合を表している。図に示すように、中輝度から高輝度の領域のコントラストを圧縮する特性となっている。
【００４１】
続いて、高輝度優先モード用のリニアガンマ特性について、図７を参照しながら説明する。
【００４２】
図７は本実施形態の撮像装置の高輝度優先モード用のガンマ特性を示す説明図である。
【００４３】
図７（ａ）において、７３７は入力ダイナミックレンジがｘ１に対応するガンマ特性であり、ＩＴＵ−Ｒ  ＢＴ．７０９などで規格化されているガンマ特性である。７３９は入力ダイナミックレンジがｘ２に対応するガンマ特性であり、入力ダイナミックレンジを実用的な範囲に広げた場合を表している。図に示すように、ガンマ特性７３９は、ガンマ特性７３７を基準にした場合、ガンマ特性の一部のコントラストを圧縮することをせずに、入力コードに対する出力コードの関係を一定に保ち、低輝度から高輝度までのビットの割り振りを固定する特性となっている。そのため、図７（ｂ）に示す通り、撮像装置のガンマ特性７３１と表示装置のガンマ特性７３３を合わせたシステムトータルでの階調特性は階調特性７３５となる。この階調特性により、中輝度から高輝度の領域に対しても、コントラストが圧縮されることはなく、低輝度部から高輝度部までの全領域において、リニアな特性を実現できている。
【００４４】
本実施形態では、通常撮影モード、高輝度優先モードそれぞれｘ２の実用的な範囲の入力ダイナミックレンジを採用しており、通常撮影モードでは中輝度から高輝度の領域のコントラストを圧縮する特性である場合で説明を行う。この２つのガンマ特性の低中輝度部の傾きを比較すると、通常撮影モードのガンマ特性より高輝度優先モードのガンマ特性の方が傾きが小さい。このことから低中輝度部の階調性は低下していることがわかる。この階調性の違いを表す概略図を図８に示す。図８は通常撮影モード、高輝度優先モードの両ガンマ特性の原点付近の立ち上がり特性を比較しているものである。そこに単純増加している入力信号を入力し、それぞれの出力特性を比較すると、高輝度優先モードのガンマ特性での出力信号は通常撮影モードのガンマ特性での出力信号に比べ階調の再現性がなくなっていることがわかる。この概略図の傾向と同様に入力信号の細かな変化、ノイズによる擬似輪郭の拡散が少なくなるため、ガンマ特性の傾きの小さい高緯度優先モードの低中輝度部では擬似輪郭の見た目が退転する。
【００４５】
また、同様に高輝度優先モードのガンマ特性は通常撮影モードのガンマ特性より低中輝度の傾きが小さいため、通常画質モードに比べ低中輝度の出力輝度が暗くなる。この輝度差の対応策として、高輝度優先モードでは視聴環境のピーク輝度を高く設定することを提案している。視聴環境のピーク輝度を上昇させることの階調性への影響を表した概略図を図９に示す。図９は同じ入力信号を入力した際の視聴環境の出力輝度を表した図である。左のグラフはピーク輝度を上げていないもの、右のグラフがピーク輝度を上げたものである。ここで、同じ階調差の出力輝度の差を比べると、出力輝度差は２倍になっている。このように、高輝度優先モード時に視聴環境のピーク輝度を上昇させると、通常撮影モード時の低中輝度と同等の輝度が実現できる反面、映像のコントラストが高くなり、１階調の輝度差が大きくなる。
【００４６】
よって画面内に擬似輪郭が発生している場合、擬似輪郭の体調段差が認識しやすくなり、見た目が退転する。
【００４７】
図１０に、本実施形態におけるシステム制御部５０、記録媒体スロット２０１の詳細を表す。また、本実施形態２の処理の流れを表すフローチャートを図１１に示す。外観、構成は実施形態１で示したＡ／Ｄ変換器２３、記録媒体２００と同様であるため省略する。
【００４８】
まず、ガンマ特性の変更に際し、ディザ処理の実施方法の変更を行う。本実施形態は第１の実施形態に加え、ガンマ特性切替手段１００９、第１のガンマ特性１０１０、第２のガンマ特性１０１１、ダイナミックレンジ変更手段１０１２、ディザ処理強度決定手段１０１３を持つ。
【００４９】
ユーザによる通常撮影モードから高輝度優先モードへのモード切替操作がモード切替スイッチ６０で行われ、制御信号がシステム制御部５０に送られる。これにより撮影モードは高輝度優先モードとなる。システム制御部５０は現在のモードを判定する（Ｓ１１０１）。
【００５０】
現在のモードが高輝度優先モードであると判定し、ガンマ特性を高輝度優先モード用の第２のガンマ特性をガンマ補正特性として採用する（Ｓ１１０２）。ここで、先に述べたように通常画質モード用の第１のガンマ特性１０１０に比べ高輝度優先モード用の第２のガンマ特性１０１１の方が低中輝度部の擬似輪郭の傾向が強くなる。よって、各輝度部の傾きの差からディザ処理強度を補正する。
【００５１】
図１２に、第１のガンマ特性と第２のガンマ特性の傾きの比較方法を示した概略図を示す。
【００５２】
図１２のように入力ダイナミックレンジがｘ＝０からｘ＝ｘ２までの輝度領域で算出する。この差分情報は撮像装置内で算出しても良いし、事前に算出したものを記憶手段から読み出して用いても良い。輝度領域の傾き割合は入力ダイナミックレンジ毎に算出してもよい。また、輪郭補正手段の指定できる輝度領域毎の輪郭補正強度の分解能に合わせ適に間欠させて算出しても良い。得られたガンマ特性の特性差情報はディザ処理強度決定手段１０１３に送られる。
【００５３】
ディザ処理強度決定手段１０１３は受け取ったガンマ特性差情報からディザ処理強度を輝度ごと補正する。ここではガンマ特性差は図１２に示すＸ３のような第１のガンマ特性より第２のガンマ特性の傾きが小さい輝度領域ではディザ処理を強め、Ｘ１、Ｘ４のような第１のガンマ特性より第２のガンマ特性の傾きが大きい輝度領域ではディザ処理を弱める。この処理により、ガンマ特性の階調割り当てが少なくなり擬似輪郭の発生しやすくなる輝度領域のディザ処理を強めることで擬似輪郭を改善する。また、階調割り当てが多くなり擬似輪郭の発生しにくい輝度領域のディザ処理を弱めることで擬似輪郭改善の過補正を回避し、Ｓ／Ｎ低下を防ぐことができる。
【００５４】
次に、表示機器設定情報の取得を行う（Ｓ１１０５）。ここでの表示機器設定情報は先に述べた高輝度優先モード時に推奨しているピーク輝度の上昇設定についてである。ここではピーク輝度設定の情報を表示部２８から取得する。ここでは表示部２８からピーク輝度情報を取得する構成を取ったが、システム制御部５０が表示部２８を制御するために予め持っている情報を用いてもよい。また外部表示機器との接続、通信手段を持ち、外部表示機器からピーク輝度値を含む表示機器設定情報を取得する構成を取っても良い。得られたピーク輝度情報はディザ処理強度決定手段１０１３に送られる。ディザ処理強度決定手段１０１３は受けとった表示機器のピーク輝度情報からディザ処理強度を補正する。ピーク輝度値が高ければディザ処理強度を強め、ピーク輝度値が低ければディザ処理強度を弱める。これにより、先に述べた表示機器のピーク輝度が高くなることによる擬似輪郭の見えの退転を防ぐことができる。
【００５５】
続いてダイナミックレンジ情報からディザ強度の補正を行う（Ｓ１１０７）。ダイナミックレンジ情報は光学絞り制御手段１００１、露光時間変更手段１００２、信号ゲイン変更手段１００３、入力光量減光手段１００４の撮像パラメータとガンマ補正手段に採用されたガンマ特性から決定される入力ダイナミックレンジ情報である。ダイナミックレンジ情報はこれらの制御値から算出しても良い。またはシステム制御部５０が制御値として予め計算しているものを使っても良い。得られたダイナミックレンジ情報はディザ処理強度決定手段１０１３に送られる。ディザ処理強度決定手段１０１３は受け取ったダイナミックレンジによってディザ処理強度を補正する。ダイナミックレンジが広い場合はディザ処理強度を強め、ダイナミックレンジが狭い場合はディザ処理強度を弱める。これにより、ダイナミックレンジ拡大による階調差の縮小によって発生する擬似輪郭の見えを改善することができる。
【００５６】
各種ディザ強度補正を行ったあとは第１の実施形態と同様に撮像パラメータの変更に応じて対応したフレームにディザ処理を実施する。第２の実施形態ではガンマ特性、表示機器設定、ダイナミックレンジの変化によってディザ処理の強度を補正した。これにより、ガンマ特性、表示機器設定、ダイナミックレンジそれぞれの変化による擬似輪郭の見えの退転を改善することができる。
【００５７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００６０】
プログラムを供給するための記録媒体としては、例えば、ハードディスク、磁気テープ等の磁気記録媒体、光／光磁気記憶媒体、不揮発性の半導体メモリでもよい。
【００６１】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００６２】
１３  Ｄ／Ａ変換器、１５  メモリ制御部、１８  記録媒体Ｉ／Ｆ、２２  撮像部、
２３  Ａ／Ｄ変換器、２４  画像処理部、２８  表示部、３０  電源部、３２  メモリ、
５０  システム制御部、５２  システムメモリ、５３  システムタイマー、
５６  不揮発性メモリ、６０  モード切替スイッチ、６１  録画スイッチ、
７０  操作部、７２  電源スイッチ、８０  電源制御部、
１００  デジタルビデオカメラ、１０１  絞り、１０２  バリア、１０３  撮像レンズ、
１０４  ＮＤフィルタ、１１２  コネクタ、２００  記録媒体、
４０１，１００１  光学絞り制御手段、４０２，１００２  露光時間変更手段、
４０３，１００３  信号ゲイン変更手段、４０４，１００４  入力光量減光手段、
４０５，１００５  焦点調整手段、４０６，１００６  焦点距離調整手段、
４０７，１００７  ディザ処理手段、
６０７，７３７  入力ダイナミックレンジｘ１対応のガンマ特性、
６０９  入力ダイナミックレンジｘ２対応の通常撮影モード時のガンマ特性、
７３９  入力ダイナミックレンジｘ２対応の高輝度優先モード時のガンマ特性、
７３１  撮像手段ガンマ特性、７３３  表示手段ガンマ特性、
７３５  システムトータル階調特性、１００８  ガンマ補正手段、
１００９  ガンマ特性切替手段、１０１０  第１のガンマ特性、
１０１１  第２のガンマ特性
【図１】
2017126912.tif 000003
【図２】
2017126912.tif 000004
【図３】
2017126912.tif 000005
【図４】
2017126912.tif 000006
【図５】
2017126912.tif 000007
【図６】
2017126912.tif 000008
【図７】
2017126912.tif 000009
【図８】
2017126912.tif 000010
【図９】
2017126912.tif 000011
【図１０】
2017126912.tif 000012
【図１１】
2017126912.tif 000013
【図１２】
2017126912.tif 000014